Podtech/llm-jp-corpus-v4-ja_patent huggingface dataset:
(57)【要約】【課題】  従来の足浴時は市販のバケツや洗面器を用いていた為、ふくらはぎまでお湯に浸かり安楽でいることが困難であった。またかけ湯をする際汚水に足が浸かったまま、もしくは施行者が足を支えながらかけ湯をしていた。【解決手段】  上バケツ、三角コーナー、下バケツの３個に分け、上バケツに排水口をもうけ、三角コーナーを台とし、高さをつけることにより、下バケツへ汚水を流すことを可能にした。また上バケツの一方の側面と、底面に傾斜をつけ、底面を広くし、ふくらはぎまでお湯に浸かる深さをもうけたことにより、足浴受行者が安楽に足浴をすることを可能にした。これらのことにより、室内での足浴で、リラックス効果、血行の促進、むくみの解消、いっそうの清潔の保持が期待できると考える。【選択図】図２
2008061978.tif 000002
【特許請求の範囲】
【請求項１】
ふくらはぎまでお湯につかり、足指の伸ばせる足浴用バケツ。
【請求項２】
石鹸などで洗った汚水を排水口より流せ、かけ湯のできる足浴用バケツ。
【発明の詳細な説明】
【技術分野】
【０００１】  本発明は、看護・介護用品として、座位保持可能な人用の足浴用バケツに関する。
【背景技術】
【０００２】  従来の看護・介護用の足浴時には、市販のバケツ、又は洗面器を使用していた。
【発明の開示】
【発明が解決しようとする課題】
【０００３】  市販のバケツの場合はそくしの先まで十分に伸ばすことが出来ず、洗面器の場合はふくらはぎまでお湯につからなかった。【０００４】  従来はかけ湯をする際は汚水に足が浸かったまま、もしくは施行者が足を支えながらお湯をかけていた。【０００５】  本発明はこのような従来の不便さを改善しようとするものであり、足浴受行者が安楽なまま清潔に足浴を実施できることを目的とするものとするものである。
【課題を解決するための手段】
【０００６】  上記第一の課題解決のための手段は、バケツ底面を両足底を完全に伸ばした状態に出来るだけの面積を確保したものとする。【０００７】  バケツの高さを足底をバケツ底面につけた状態からふくらはぎまで浸かる高さにする。【０００８】  足浴受行者のふくらはぎが安楽にお湯に浸かるようにふくらはぎ側のバケツの側面に角度をつけ、バケツの口を広口にする。【０００９】足浴受行者が安全なように、またバケツの汚れが落ちやすいようにバケツの角は丸みをもたせる。【００１０】  上記第二の課題解決の手段は足浴用バケツを上バケツ、三角コーナー、下バケツの三個に分ける。【００１１】  上バケツにゴム製の栓と排水口を足浴受行者の足底に触れない位置に設ける。また、上バケツの底面は汚水が流れるように排水口へ弱冠の傾斜をつける。【００１２】  三角コーナーは上バケツの重さを支える為、側面を厚くして、汚水は穴から流れていくようにする。【００１３】  三角コーナーの高さは、汚水が下バケツに溜まるように、１０センチ以上が望ましい。【００１４】  下バケツは上バケツと三角コーナーを包み込む大きさとする。【００１５】  上バケツの外側の底面と、下バケツの内側の底面に、三角コーナーを支え、固定させる為の溝をつける。下バケツの内側の底面の溝は排水の為穴を空ける。
【発明の効果】
【００１６】  本発明の足浴用バケツはふくらはぎまでお湯に安楽に浸かる為、血行が促進されリラックス効果が得られる。【００１７】  また、汚水がバケツ内に溜まらないことにより足部の清潔が保てる。
【発明を実施するための最良の形態】
【００１８】  以下本発明の実施の形態を図１〜図６に基づいて説明する。【００１９】            ４は、上バケツにもうけた排水口のゴム栓につながるチェーンで、上バケツのもち手に固定されゴム栓が紛失しない為にある。【００２０】            ５は上バケツの汚水をバケツを倒して注ぐ為の注ぎ口であり、ゴム栓につながるチェーンを固定する為にも役立つ。【００２１】  洗浄をせず温湯浴のみする場合は上バケツのみ栓をした状態で使用する為、６の上バケツの外側の底面の三角コーナーを固定させる為の溝は、ゴム栓の刺さっている深さよりも高さがあるようにする。また溝は上バケツにお湯を入れた状態を支えるだけの強度を必要とする。【００２２】            ７は下バケツの持ち手であり、汚水の重量を支える為、二つの持ち手をつけ、持ち手をつかみやすいようにしたバケツの縁にかかるようにする。【００２３】下バケツの形状は、バケツは汚水が多く溜まるように四角とし、汚水を下バケツを倒して注ぐ場合角の縁より注ぐようにする。【００２４】上、下バケツの角は安全の為丸みをもたせる。また、        ８、９のバケツの縁は指をかけ両手で持ち上げられるように縁の折り返しをつけるようにする。
【実施例】
【００２５】  図２は本発明品を使用しての足浴実施状態図である。【００２６】  足浴受行者は座位とし、使用時の向きは前方が足指側、後方がふくらはぎ側となる。【００２７】  足浴施行者は受行者に対し対面、もしくは横に居るものとする。【００２８】  足浴受行者は電動ベッドなど床より７０〜８０センチの高さのある座面に座っているとより安楽な姿勢で実施されるものと考える。
【図面の簡単な説明】
【００２９】
【図１】  本発明の実施形態を示す足浴用バケツの全体図
【図２】  足浴受行者の足部を含めた実施状態参考図
【図３】  上バケツの右側面図
【図４】  三角コーナーの前方図
【図５】  下バケツの上方図
【図６】  図１におけるＡ−Ａ線断面図
【符号の説明】
【００３０】  １、  上バケツ
２、  三角コーナー
３、  下バケツ
４、  チェーン
５、  注ぎ口
６、  上バケツ外側の底面の三角コーナーを固定させる為の溝
７、  下バケツの持ち手
８、  上バケツの縁の折り返し
９、  下バケツの縁の折り返し
１０、三角コーナーの穴
【図１】
2008061978.tif 000003
【図２】
2008061978.tif 000004
【図３】
2008061978.tif 000005
【図４】
2008061978.tif 000006
【図５】
2008061978.tif 000007
【図６】
2008061978.tif 000008
(57)【要約】【課題】本発明は、ハンカチやタオルなどの布を携帯するためのホルダーである。通常は、ハンカチを持ち歩く場合、かばんや衣服のポケットに入れて携帯するが、手荷物を持ち歩きたくない場合や、衣服にポケットがない時にハンカチを携帯することは、困難である。また、幼児が自分でハンカチを携帯し、使用することは困難であるために、ポケットやかばんを携帯することなく手ぶらでハンカチを携帯することができるホルダーを提供する。【解決手段】ハンカチを掛ける吊り具にチューブを設ける。チューブを通した吊り具を一まとめにした部分にビーズを設ける。ハンカチを上部より覆うキャップに吊り具を通すための穴を設ける。キャップの外側に留め具を設ける。【選択図】図１
2008061979.tif 000002
【特許請求の範囲】
【請求項１】
すべり止めのチューブ及びハンカチを固定するビーズを有している吊り具と、衣服に固定するための留め具を設けたキャップからなる、ハンカチを携帯できるホルダー。
【請求項２】
吊り具が紐からなる請求項１のハンカチを携帯できるホルダー。
【請求項３】
吊り具が吊り輪からなる請求項１のハンカチを携帯できるホルダー。
【請求項４】
留め具がクリップからなる請求項１のハンカチを携帯できるホルダー。
【請求項５】
留め具が安全ピンからなる請求項１のハンカチを携帯できるホルダー。
【発明の詳細な説明】
【技術分野】
【０００１】  本発明は、ポケットやかばんを携帯することなく、ハンカチやタオルを携帯することが出きるホルダーに関するものである。
【背景技術】
【０００２】  従来、外出先で手を洗ったり、汗をかいたときに使用するために、洋服のポケットやかばんの中に、ハンカチやタオルを携帯することがなされている。
【発明の開示】
【発明が解決しようとする課題】
【０００３】  外出先でハンカチやタオルを使用するとき、次のような問題点があった。
ジョギングやスポーツ、ゴミ拾いなど、手荷物を持ち歩けない活動を行うときや、ポケットのない衣服を着用しているときに、ハンカチやタオルを携帯することは困難であった。また、手洗い後にハンカチやタオルを使用するとき、濡れた手でかばんやポケットの中からハンカチやタオルを取り出すため、かばんやポケットを濡らしてしまうことや、ハンカチを取り出す際、かばん内のハンカチやタオル以外の携帯物を誤って落としてしまうことがあった。さらに、幼児が自分でハンカチを携帯し、取り出して使用することは難しかった。
本発明は、以上の問題点を解決し、ポケットやかばんを携帯することなく、手ぶらでハンカチを携帯することができるようにしたものである。
【課題を解決するための手段】
【０００４】    ハンカチを掛ける吊り具にチューブを設ける。チューブを通した吊り具を一まとめにした部分にビーズを設ける。ハンカチを上部より覆うキャップに吊り具を通すための穴を設ける。キャップの外側に留め具を設ける。
本発明は、以上の構成よりなるハンカチを携帯できるホルダーである。
【発明の効果】
【０００５】  本発明を使用することにより、ハンカチを首から吊るすこと、または着衣に固定することができるので、かばんやポケットの有無に関係なく、ハンカチを携帯することができる。
【発明を実施するための最良の形態】
【０００６】  以下、本発明の実施の形態を説明する。
（イ）ひも（７）や吊り輪（８）からなる吊り具（１）の中央にチューブ（２）を設け        る。
（ロ）チューブ（２）に通した吊り具（１）を一まとめにした部分にビーズ（３）を設        ける。
（ハ）キャップ（４）に吊り具（１）を通す穴（５）を設ける。
（ニ）キャップ（４）の外側にクリップ（９）や安全ピン（１０）からなる留め具（６        ）を設ける。
本発明は、以上の構成よりなる
本発明を使用する場合は、吊り具（１）に設けたチューブ（２）とビーズ（３）の間にハンカチ（１１）を掛け、ビーズ（３）とキャップ（４）により、ハンカチ（１１）を上部から圧迫、固定する。留め具（６）は、キャップ（４）を着衣に取り付けるための固定具である。
【図面の簡単な説明】
【０００７】
【図１】本発明の斜視図
【図２】本発明の主要部の拡大断面図
【図３】本発明の主要部の拡大断面図
【図４】本発明の主要部の斜視図
【図５】本発明の主要部の斜視図
【符号の説明】
【０００８】（１）吊り具、（２）チューブ、（３）ビーズ、（４）キャップ、（５）穴、（６）留め具、（７）ひも、（８）吊り輪、（９）クリップ、（１０）安全ピン、（１１）（ハンカチ）
【図１】
2008061979.tif 000003
【図２】
2008061979.tif 000004
【図３】
2008061979.tif 000005
【図４】
2008061979.tif 000006
【図５】
2008061979.tif 000007
(57)【要約】【課題】鉄道模型（Ｎゲージ）車両の台車マウントタイプの連結器を、ＴＮカプラーに改造した場合、そのままでは、根元がグラつき、ハネ上がってしまい、なかなか連結出来ず、一旦車両を持ち、強引に連結させていた。【解決手段】逆作用形のピンセットの先端に、部品１  部品２  を接着あるいは、両面テープなどで固定する。部品２にＴＮカプラーをはめこみ、部品１で押さえる事で、ＴＮカプラーが安定し、レールに車両を置いたまま互いに押し付け連結する。【選択図】図１
2008061972.tif 000002
【特許請求の範囲】
【請求項１】
逆作用型のピンセットの先端に取り付け使用する。
【請求項２】
連結器を包み込む形状であり、挟んで使用する。
【発明の詳細な説明】
【技術分野】
【０００１】  この発明は、鉄道模型（Ｎゲージ）の連結時に、使用する持具である。
【背景技術】
【０００２】  鉄道模型（Ｎゲージ）車両の台車マウントタイプの連結器を、ＴＮカプラーに改造した場合、そのままでは、根元がグラつき、ハネ上がってしまい、なかなか連結が出来ない。  （図２）
【発明の開示】
【発明が解決しようとする課題】
【０００３】ＴＮカプラーに改造した車両を、連結する時は、いちいち一旦車両を持ち上げ、強引に連結させていた。そこで、この発明は、車両をレールに乗せたままで、且つ簡単、確実に連結させる事を課題とする。
【課題を解決するための手段】
【０００４】以上の課題を解決するために、（図１）の様な持具を作り、これでＴＮカプラーを挟み、グラつかない様に保持し、車両を互いに押し付けるようにし、使用する事を特徴とする。
【発明の効果】
【０００５】この発明によれば、ＴＮカプラーを包むように保持するので、グラつかず、レールに車両を乗せたままで、簡単確実に連結できる。【０００６】  この発明の一実施形態を、（図１）に示す。【０００７】「実施形態の効果」
この実施形態によれば、（図１）部品１によってＴＮカプラーが上方へ逃げるのを押さえ、部品２によって下方より包み込む事により、左右及び、下方へ逃げるのを防いでいる。これらにより、ＴＮカプラーを互いに押し付けることで（つまり、車両同士を押し付ける）連結する。【０００８】「他の実施形態」
（図１）の実施形態では、上から押さえ、下から包み込んで使用しているが、他の実施形態では、上下を反対にし、下から押さえ、上から包むものでも良い。
【図面の簡単な説明】
【０００９】
【図１】この発明の一実施形態を示す斜視図である。
【図２】従来技術を示す斜視図である。
【符号の説明】
【００１０】  １  上押さえ板
２  下押さえ板
３  カプラーポケット
４  ＴＮカプラー
５  逆作用形ピンセット
【図１】
2008061972.tif 000003
【図２】
2008061972.tif 000004
(57)【要約】【課題】小さな電力を  徐々に大きな電力に変換するために、排ガスを出さず、山を崩さず、海辺を壊さず、今使っている電気で出来る電流増幅省エネルギー発電システムである【解決手段】電力会社の電気を  図１の７（モータ用インバータ）に交流三相電気を入れて、１モータを回転駆動させて  Ｖベルトで連結されている、２台の発電機（符号４）を回転させ発電させる。矢印が発電した電気の流れです。１モータブロックが回転し始めると、２モータブロック  ３モータブロックとも同時に回転し発電を始めますから、２モータブロック  ３モータブロックとも自家発電した電気で回転し発電してる事になります。発電した電気は  図１の７に戻りますから省エネルギー発電です。又この１組を何組と繋げて大きな電気に変えられる。【選択図】図１
2008061484.tif 000002
【特許請求の範囲】
【請求項１】
永久磁石多磁極発電機を三相交流モータで駆動、発電させる。
【請求項２】
駆動モータで回転し、発電された電気を次の発電機を回すモータの動力源とする。
【請求項３】
自家発電された電気を、インバータかコンバータに入れて無停電電源装置に流し、駆動モータに電流を戻して省エネルギーとする。
【発明の詳細な説明】
【技術分野】
【０００１】永久磁石多磁極発電機は、回転軸に磁石が２、４、６、８、１０極と偶数個で数が増やせる発電機で、回転軸に平行に薄い扇型の磁石を、固定コイル側と回転軸側にプラス極とマイナス極に分けて、Ｎ極とＮ極、Ｓ極とＳ極が反発するのを押さえて、固定した発電機を使用するものとし、その発電機から、２本の出力線を出して  ２台の三相交流モータの端子と結線し回転させる、回転したモータには各２台の永久磁石発電機が連結されており、１台のモータで２台発電機を回転させるので、全体で５台の自家発電に成ります、５台の中の１台の発電電流をインバータから、無停電電源装置に入れて、電力会社の電力を徐々に自家発電の電気の割合を多くして省エネルギー発電とする。【０００２】固定子コイルの巻方は  分布巻と言う誘導電動機と同じ巻方ですが、固定子コイルの結線は  ＵＶＷとも右巻き  左巻きに分けて結線します、ＵＶＷの右巻コイルの最後の銅線を三本束ねて中性点とします、ＵＶＷの左巻コイルの最後の銅線を三本束ねて中性点とする事により、発電機には出力線がＵＶＷとも２本の出力線が出来ますので、２台の三相モータを同時に回転させる事が出来る。【０００３】永久磁石６磁極の三相固定コイルを磁束が切り発電する回転軸  １回転の回数は１０８回の発電です。【０００４】発電した、自家発電電気を２００Ｖにして周波数変換機に入れて使用するか、電圧を上げてダウントランスで２００Ｖに下げて使用する、又は自家発電電気を直流に変換して直流電源に入れて大きな電気にしてから、交流に変換して使用する、
【背景技術】
【０００５】従来の発電機は、１個の発電機に１台のエンジンで発電し又、再発電にも利用してない。
【発明の開示】
【発明が解決しょうとする課題】
【０００６】風力発電や太陽光発電などは  季節や設置場所においては性能が出ない事も有る。
【課題を解決するための手段】
【０００７】電力会社の電気を少しだけ使用して、環境に良い発電をし余った電気を電力会社に戻す。
【発明の効果】
【０００８】電流増幅省エネルギー発電システムには、永久磁石６磁極発電機を使用した、６磁極は１本の出力線に３個のコイルが結線してあるので、低速回転で２００Ｖに電圧が上がりますから、インバータや周波数変換機が使えるようになり５０から６０サイクルの電気がすぐに使えます、
【０００９】発電機を駆動回転させているモータの消費電気よりも、１台の発電機の発電電気のほうが電流計の針が少し上を指しました。
【００１０】モータ１台と発電機２台で  １ブロックとします、次を２ブロック、次を３ブロックとして、３つのブロックで１組とします、１ブロックのモータは４ＰＯＬＥでも６ＰＯＬＥモータでもかまいませんが、２と３ブロックは発電機と同じ６ＰＯＬＥモータとします、モータと発電機を繋ぐプーリ比は１対１とします
【００１１】１組の発電設備から、２組めの発電設備への電源は自家発電した電気とするので、増設すれば発電単価が安くなり無停電電源装置も必要なくなります。
【図面の簡単な説明】
【００１２】
【図１】  本発明の配置図  平面図である。
【図２】  永久磁石６磁極発電機の断面図で三相線の１線を書きました。
【符号の説明】
【００１３】  １．          電力会社の電気で駆動するモータ。
２．          自家発電電気で駆動するモータ。
３．          自家発電電気で駆動するモータ。
４．          ６磁極発電機。
５．          インバータ（周波数変換機）。
６．          無停電電源装置。
７．          モータ用インバータ。
８．          固定子コイル。
９．          永久磁石。
１０．          回転軸。
【図１】
2008061484.tif 000003
【図２】
2008061484.tif 000004
(57)【要約】【課題】子局をある遠制方式から他の遠制方式に対応させるには、子局全体を取り替える必要があり、コストが高い。また、子局の種類が多いため、生産コストを低減することが困難である。【解決手段】本発明による子局装置は、配電線遠方監視制御システムに用いられる子局装置であって、複数の遠制方式において共通化可能な機能が抽出された共通化部分と、各遠制方式に応じて交換される個別専用部分とを有しており、前記共通化部分は、各遠制方式に応じて交換される情報管理テーブルを備えており、前記情報管理テーブルは、前記子局装置の運用に関する動作・処置・判定の条件が定義されかつ前記子局装置のファームウェアソフトが常に参照する論理情報テーブルである、ことを特徴とする。【選択図】図２
2008061438.tif 000002
【特許請求の範囲】
【請求項１】
配電線遠方監視制御システムに用いられる子局装置であって、
複数の遠制方式において共通化可能な機能が抽出された共通化部分と、
各遠制方式に応じて交換される個別専用部分とを有しており、
前記共通化部分は、
各遠制方式に応じて交換される情報管理テーブルを備えており、
前記情報管理テーブルは、
前記子局装置の運用に関する動作・処置・判定の条件が定義されかつ前記子局装置のファームウェアソフトが常に参照する論理情報テーブルである、
ことを特徴とする子局装置。
【請求項２】
請求項１において、
前記共通化部分は、
前記子局装置の全動作を管理する部分であり前記ファームウェアソフトおよび前記情報管理テーブルを有している主制御部と、
開閉器状態の監視および制御を行う部分である監視入出力部と、
前記子局装置の動作電源を供給する部分である主電源部とを備えており、
前記個別専用部分は、
停電時における前記子局装置の動作を補償するための２次電池部分である副電源部と、
モデム部とを備えており、
前記モデム部は、
ソフト交換により各遠制方式に適応した機能への移行が実現されるデジタルモデムで構成された主回路部と、
各遠制方式に適応した回路で構成された結合部とを有している、
ことを特徴とする子局装置。
【発明の詳細な説明】
【技術分野】
【０００１】
本発明は、配電線遠方監視制御システムに用いられる子局装置に関する。
【背景技術】
【０００２】
複数の遠制方式（伝送方式）で構成されている配電線遠方監視制御システムにおいては、それぞれの遠制方式に対応した子局が存在する。
【発明の開示】
【発明が解決しようとする課題】
【０００３】
子局をある遠制方式から他の遠制方式に対応させるには、子局全体を取り替える必要があり、コストが高い。また、子局の種類が多いため、生産コストを低減することが困難である。
【課題を解決するための手段】
【０００４】
上記課題を解決するため、本発明では、共通化可能な機能を抽出し、他の機能と独立した形態とした。また、独立した形態とするために、ハード、ソフトを共通化に対応した設計とした。非共通化部分であるモデム部を、インテリジェント化、およびインターフェース部分を共通化した。
【発明の効果】
【０００５】
本発明によれば、子局のモデム部分を独立した形態とし、ハード・ソフトの共通化に対応した設計としたため、対応するモデム部分を交換するだけで遠制方式を変更でき、コスト削減が図れる。
【発明を実施するための最良の形態】
【０００６】
配電線遠方監視制御（遠制）システムにおける子局の役割は、遠制運用で必要な情報である監視情報「Line Switchの開閉状態（入／切）情報」を親局に通知することと、親局との制御情報の交換を通して「Line Switchの投入／開放に関する遠制入／切、および、遠制ロック／ロック解除」を実行監視する機能が重要である。これらの必須情報はすべての子局が持ち合わせているが、子局種別ごとに伝達情報の中のポジションは異なっており、さらに、定義も少しずつ異なる。
【０００７】
そこで本願発明者らは、各種別子局において共通と判断される機能についてその定義の共通化を図ることとした。具体的には、現在の主流・今後主流となる子局を対象に、各子局が作成する情報を一元化・包括する情報管理テーブルを定義し、子局内に一元化・包括された情報管理テーブルを持たせることで各子局の情報設定条件を共通化することを実現した。この共通化により、これらの情報を作成するために必要な情報源である、子局を構成するハードウェアの共通化も図ることが可能となった。本発明により子局の共通化を実現できた範囲を図１に示す。
【０００８】
子局は、定義の共通化により機能に関するハード・ソフトの共通化が実現され、図１に示すように共通項を持つに至った。しかしながら、過去から運用中のシステムであることから、伝送用のインフラが再利用される。したがって適合性を保証することが重要であり、そのためにモデム部分に差異を集めて対応することとした。共通化子局の概略構成を図２に示す。また、共通化子局における共有化実現部分および個別専用部分の説明を図３に示す。
【０００９】
子局の共有化は、情報管理テーブルに動作仕様を定義し、運用する子局のアルゴリズムが確定したことにより実現された。情報管理テーブルとは、子局の運用に関する（動作・処置・判定）の条件を定義した、子局のファームウェアソフトが常に参照する論理情報テーブルである。論理情報テーブルは２次元テーブルで、子局の入出力データ（ここでは１６ビット構成）のビットごとに処理・判定条件が定義されている。子局は入出力の情報が更新されるごとに本テーブルを参照し処理・判定条件を読み取り実行する。この方式の採用により、運用中の子局を種別の異なる遠制システムにて運用する場合でも、情報管理テーブルを移行するターゲットシステムに適合した情報に置き換えることで運用できるようにした。情報管理テーブルは、共通仕様のハードウェア環境を持つメインＣＰＵボードであれば、メーカ管理ではあるが、差し替え・転用は簡単にかつ確実に行うことが可能となった。
【産業上の利用可能性】
【００１０】
本発明は、複数の遠制方式で構成されている配電線遠方監視制御システム等に利用可能である。
【図面の簡単な説明】
【００１１】
【図１】本発明により子局の共通化を実現できた範囲を示す図
【図２】共通化子局の概略構成を示す図
【図３】共通化子局における共有化実現部分および個別専用部分の説明
【図１】
2008061438.tif 000003
【図２】
2008061438.tif 000004
【図３】
2008061438.tif 000005
(57)【要約】【課題】永久磁石の持てるエネルギーを回転運動として取り出す事は出来ないだろうか。【解決手段】永久磁石をピストンへ、コイルをシリンダーへ考え、コイルへ電気信号を送る事に寄り、永久磁石の縦の運動を取り出し、これをシャフト、クランク等へ伝え、軸の回転運動へ変換し、制御する。【選択図】図１
2008061500.tif 000002
【特許請求の範囲】
【請求項１】
電磁力信号に寄り、永久磁石の縦の運動を取り出し、これを軸の回転運動へ変換し、制御する。
【請求項２】
コイルへ電通した時に、永久磁石の最適な反発力を得られる位置を検出し固定する止め具。
【発明の詳細な説明】
【技術分野】
【０００１】本発明は、モーターに関する。
【背景技術】
【０００２】従来のモーターには、電気モーター、ブラシレスモーター、リニアモーター等が在る。
【発明の開示】
【０００３】永久磁石のエネルギーを回転運動として取り出す事を目的とする。
【課題を解決するための手段】
【０００４】本発明は、永久磁石をピストンに、コイルをシリンダーに考え、コイルへ電気信号を送る事に寄り、永久磁石の縦の運動を取り出し、これを軸の回転運動へ変換し、制御する。
【発明の効果】
【０００５】永久磁石の縦の運動を軸の回転運動へ変換する事に寄り、容易なる逆回転を防止する事が出来る。
【発明を実施するための最良の形態】
【０００６】以下、本発明の実施の形態を図１・２に基づいてせつめする。【０００７】図は、シャフト、クランクを用いた例を示す。その他別項に記す。【０００８】図１において、１は永久磁石で３のコイルの中に在る。このコイルへ電気信号を送る事に寄り、磁力の反発力が発生し、１の永久磁石の縦の運動を取り出す。これを下部、４のシャフト、５のクランクへ伝え、７の軸の回転運動へ変換し、６の弾み車に寄り安定させる。【０００９】図２において、２のワツシヤーは、コイルへ通電した時の永久磁石の最良の反発力を得られる位置を検出し、固定する物で、これに寄り永久磁石の固体差に対応する。
【産業上の利用可能性】
【００１０】複数の磁石を使用する事に寄り、強力なる回転運動が得られるのでわないかと考えています。
【図面の簡単な説明】
【００１１】
【図１】シヤフト、クランクを使用した概観概念略図。
【図２】永久磁石、コイル、最適磁力検出固定ワッシヤーを示す。
【符号の説明】
【００１２】１  永久磁石
２  最適磁力検出固定ワッシヤー
３  コイル
【図１】
2008061500.tif 000003
【図２】
2008061500.tif 000004
(57)【要約】【課題】手軽に食してメタボリック症候群の予防と改善効果が高い寒天を提供すること。【解決手段】本発明による寒天は２リットルの水に、５０グラムの天草を入れて沸騰させ、４５ｃｃの酢を入れて煮込み寒天エキスを抽出した原料溶液を作る。原料溶液をろ過し、原料溶液に対して６０グラムの黒すりごまと、原料溶液に対して６０グラムのきな粉を混ぜ合わせて、原料溶液に混合して容器（２２ｃｍ×３０ｃｍ）に入れ冷却して成ることを特徴とする。【選択図】なし【特許請求の範囲】
【請求項１】
天草に黒すりごまときな粉を混合してなる寒天食品
【請求項２】
水に天草を入れ沸騰させ、酢を入れて煮詰め、それに黒すりごまときな粉を混合し、冷却、固化形成する寒天食品の製造方法
【発明の詳細な説明】
【技術分野】
【０００１】本発明は寒天が持つ食物繊維の効用をより効果的に摂取し、メタボリック症候群予防と改善に関する寒天食品である。
【背景の技術】
【０００２】従来からダイエットの為に寒天を食する事は知られている。たんぱく質、カルシウムが多く、特にビタミンＥの活性化を高めるリグナンと言う成分が含まれている黒すりごまや、栄養価の高いきな粉もダイエット効果のある食品として知られている。共にダイエット効果のある寒天、きな粉及び黒すりごまを同時に食する方法としては、寒天にきな粉と黒すりごまをかけて食する方法が一般的である。
【発明の開示】
【発明が解決しようとする課題】
【０００３】厚生労働省は２００６年８月１８日、内臓脂肪症候群（メタボリック症候群）の広がりを防ぐため、健康診断の際に実施される保健指導のあり方を見直す方針を固めた。
食生活の欧米化に伴い大腸癌は増加傾向にあり、大腸癌による死亡は悪性新生物による死亡の中でも上位を占めている。まさに本発明はメタボリック症候群の改善の為に手軽でおいしくリバウンドもなく効果がでる食品である。【０００４】健康食品とは、継続して利用してこそ効果が得られるものであり、継続して食す為には手軽に食せなければならない。
しかし、寒天にきな粉と黒すりごまをかけて食すると言う方法は、その都度かける分量が曖昧となり、必要摂取量、味が一定しない。
本発明は、上記した従来の問題点に鑑みて、まずは手軽に継続利用できて、且つ、均一化された効果の得られる調合を提供することを目的とする。
【課題を解決するための手段】
【０００５】以下、本発明を詳細に説明する。なお、以下に説明する構成は、本発明を限定するものではなく、本発明の趣旨の範囲内で種々改変することができるものである。【０００６】本発明で言う寒天とは、海藻の天草を煮溶かし煮詰めた後、ろ過、固化させて出来るものを寒天と呼ぶ。以下に寒天の製造工程を説明する。【０００７】上記に記した目的を達成するために、本発明は２リットルの水に、５０グラムの天草を入れて沸騰させ、４５ｃｃの酢を入れて煮込み寒天エキスを抽出した原料溶液を作る。原料溶液をろ過し、原料溶液に対して６０グラムの黒すりごまと、原料溶液に対して６０グラムのきな粉を混ぜ合わせて、原料溶液に混合して容器（２２ｃｍ×３０ｃｍ）に入れ冷却して成ることを特徴とする。【０００８】本発明で言うきな粉とは、通常言う青大豆を煎って粉末にしたうぐいすきな粉を用いているが、その他に黄大豆、黒大豆を煎って粉末にしたきな粉を用いても栄養成分に若干の差はあるが、同様の効果を得る事が出来る。
【発明の効果】
【０００９】モニター３０名の改善された事例
１，体重の減少（お腹スッキリ）                                    １７名
２，慢性の下痢、便秘の改善                                        １６名
３，毛髪の改善（抜け毛や白髪の改善、髪質がかたくボリュームが出た）１８名
４，血圧の低下、血糖値の変化、コレステロールの変化                  ９名
５，皮膚の艶、張り、しわの改善                                    １３名
６，慢性の肩こりや疲労、冷え性の改善                              １４名【００１０】
【表１】
2008061636.tif 000002
【食べ方】
【００１１】「０００７」で出来た分量の１／１２（約１００〜１３０ｇ）を１回分とし１日１食とする。
黒すりごま５ｇ、きな粉５ｇ、黒みつ１０ｇをかけ食す。
その他の食べ方として、酢醤油と青のりをかけて食べる方法も美味しい。
【００１２】本発明に係る寒天は主に朝食として食し、昼、夕食は、普通通りの食事をとる。
主原料天草の特徴である食物繊維により排便排尿が良く、多くの人は、１〜２ヶ月位で体重の減少を感じる。本発明に係る寒天はメタボリック症候群の一番の要因である内臓脂肪を取る作用があり、カロリーが低く肥満の改善につながる食品である。
黒ごまは、老化防止、動脈硬化の予防、高血圧の改善、便秘の改善、整腸作用の効果があり、すぐれた植物性食品である。
きな粉は大豆そのものに一番近い大豆加工食品である。原料である大豆は「畑の肉」と言われるように多くの栄養素が含まれており、きな粉は大豆の成分をそのまま含んでいる。
黒みつは脳を活性化させる作用があり、本発明による寒天を美味しく食するために欠かすことの出来ない食品である。
酢は本発明に係る寒天を形成するのに必要不可欠な成分であり、殺菌、防腐作用もある。
本発明に係る寒天は、これからの時代における必要不可欠な自己健康管理食品である。
【発明を実施するための最良の形態】
【００１３】以下、本発明に係る寒天食品の実施の形態について説明していく。
本発明は、２リットルの水の中に、水に５０グラムの天草を加えて沸騰させ、４５ｃｃの酢を加えて６０分煮込み、煮出し溶液を作り（工程１）寒天が持つ成分を抽出させる。
１．６リットルまで濃縮させた煮出し原料溶液を作り（工程２）、前記原料溶液中に、６０グラムの黒すりごまと６０グラムのきな粉を混ぜ合わせる。
（工程３）最後に容器（２２ｃｍ×３０ｃｍ）に入れ冷却して固化させる（工程４）
【実施例】
【００１４】本発明に係る寒天食品と市販の棒寒天及び粉寒天で同様に製造したものとの味の比較結果を下記に示す。
【表２】
2008061636.tif 000003
【００１５】上記した結果から、比較用寒天の評価が悪く、本発明に係る寒天食品は安定している評価が得られていることがわかる。
【図面の簡単な説明】
【００１６】
【図１】図１本発明に係る黒すりごまきな粉寒天の製造工程を示す図である。
【図１】
2008061636.tif 000004
(57)【要約】【課題】  小型犬を快適に洗いやすくするための、小型犬シャンプー用バスタブを提供する。【解決手段】  小型犬が入る大きさと深さのある容器で、容器の底面の一部に水抜き穴があり、人間用の浴槽の枠の上側に橋渡しして掛けることができる長さの鍔付きで、鍔部分には固定ネジ用の調節穴があり、それにより人間用の浴槽に設置し固定する。そして水抜き穴には取り外し可能な細かい網からなるフィルターと、フィルターには取り外し可能な蓋を設ける。以上を特徴とする小型犬シャンプー用バスタブ。【選択図】図２
2008061633.tif 000002
【特許請求の範囲】
【請求項１】
小型犬が入る大きさと深さのある容器で、容器の底面の一部に水抜き穴があり人間用の浴槽の枠の上側に橋渡しして掛けることができる長さの鍔付きで、鍔部分に調節穴があり、人間用の浴槽に設置し固定することを特徴とする小型犬シャンプー用バスタブ。
【請求項２】
水抜き穴に取り外し可能な細かい網からなるフィルターと、フィルターに取り外し可能な蓋を設けてなる請求項１の小型犬シャンプー用バスタブ。
【発明の詳細な説明】
【技術分野】
【０００１】本発明は、小型犬を快適に洗いやすくするための、小型犬シャンプー用バスタブに関するものである。
【背景技術】
【０００２】最近部屋で小型犬を飼う人が増えている。たいていどこの家も犬専用の浴室があるわけではないため小型犬を自宅でシャンプーするときは、浴室や洗面台で洗うのが一般的である。
【発明の開示】
【発明が解決しようとする課題】
【０００３】そのために次のような問題があった。
（イ）浴室で小型犬を洗う場合、腰をかがめて洗うのが体勢的に苦痛を強いられ、さらに、お湯が跳ねて衣服が濡れてしまうという問題があった。
（ロ）洗面台の水槽に小型犬を入れて洗う場合、すり鉢状の底に入れてシャンプーすると小型犬は足が滑って体勢を安定させることが出来ず、あばれて落ち着かず終いには勢いよく転倒することが多い。小型犬は非常に弱いため最悪の場合、骨折などの大けがに至ることがある。
（ハ）小型犬は犬種によって非常に抜け毛が多く、浴室中に毛が散らかり、また、大量の毛が排水溝に流れ、つまりの原因になる。
本発明は、以上の問題を解決するためになされたものである。
【課題を解決するための手段】
【０００４】小型犬が入る大きさと深さのある容器で、容器の底面の一部に水抜き穴があり、人間用の浴槽の枠の上側に橋渡しして掛けることができる長さの鍔付きで、鍔部分には固定ネジ用の調節穴があり、それにより人間用の浴槽に設置し固定する。
そして水抜き穴には取り外し可能な細かい網からなるフィルターと、フィルターには取り外し可能な蓋を設ける。以上を特徴とする小型犬シャンプー用バスタブ。
【発明の効果】
【０００５】小型犬は平坦な場所に立つことが出来、あばれず落ち着いてくれるので非常に洗い安くなり転倒の危険性も払拭できる。また、しゃがむ必要がなく、立った姿勢で洗えるので非常に楽でお湯は浴槽の中に落ちるので跳ね返りも無くそれほど衣服も濡れなくなる。さらに小型犬の抜け毛はフィルターにたまるのでまとめて捨てやすく、排水溝のつまりも軽減する。
【発明を実施するための最良の形態】
【０００６】以下、本発明の実施の形態について説明する。
（イ）プラスチック製の箱状からなり上面を開口した容器本体（１）の開口部の両側に鍔部（２）を儲ける。
（ロ）容器本体（１）の鍔部（２）は人間用の浴槽（１０）の上面の枠に橋渡しして掛けることが可能な長さとする。
（ハ）鍔部（２）の両側に横長の調節穴（３）を設け、調節穴（３）に下側から差し込んだオスネジ（４）と調節穴（３）の上側に設けるメスネジ（５）とネジ止め自在とする。
（ニ）オスネジ（４）の頭部に粘着のり（６）を設け、粘着のり（６）は浴槽（１０）の上縁の枠に粘着固定する。
（ホ）容器本体（１）の底面の一部に水抜き穴（７）及びこれに取り外し可能な細かい網からなるフィルター（８）と、フィルター（８）には取り外し可能な蓋（９）を設ける。
本発明は以上の構成よりなっているので、本発明を使用するときは人間用の浴槽（１０）の上面の枠に両側の調節穴（３）の間隔に合わせてオスネジ（４）を粘着のり（６）で固定し、これを調節穴（３）の下側から差込み、たらい本体（１）の鍔部（２）が浴槽（１０）の枠からずれ落ちないように調節穴（３）の上側からメスネジ（５）で固定する。たらい本体（１）にお湯をためたいときは水抜き穴（７）のフィルター（８）に蓋（９）をし、またお湯をためずに使用するときは蓋（９）のみを取り外す。これにより小型犬の毛が人間用の浴槽（１０）に流れ出るのを防ぐことが出来る。
【図面の簡単な説明】
【０００７】
【図１】  本発明の平面図
【図２】  本発明の使用状態を示す側面図
【図３】  ネジ部分拡大図
【図４】  水抜き穴部分拡大図
【符号の説明】
【０００８】  １  容器本体
２  鍔部
３  調節穴
４  オスネジ
５  メスネジ
６  粘着のり
７  水抜き穴
８  フィルター
９  蓋
【図１】
2008061633.tif 000003
【図２】
2008061633.tif 000004
【図３】
2008061633.tif 000005
【図４】
2008061633.tif 000006
(57)【要約】【課題】飼い主が留守中、飼い主の代わりとなって犬の緩和（相手）をし、犬の不安感を除去するとともに、近隣住居への騒音を防止する。【解決手段】犬の鳴声をセンシングし、鳴声に応じて、あらかじめ録音しておいた飼い主の声などの音声データを再生する。【選択図】図１
2008061640.tif 000002
【特許請求の範囲】
【請求項１】
犬の鳴声をセンシングする部分と、センシングした鳴声をトリガ（引き金）として、あらかじめ録音しておいた音声を再生する部分とを備えた犬の緩和装置。
【請求項２】
前記において、１種類以上の音声データを録音する機能を持つことを特徴とする犬の緩和装置。
【請求項３】
前記において、犬の鳴声をセンシングし、その音量、頻度に応じて再生する、しないの制御とともに、再生する音声データと、その再生音量を選択することを特徴とする犬の緩和装置。
【発明の詳細な説明】
【発明の詳細な説明】
【技術分野】
【０００１】近年、一人暮らしの増加に伴い都会のマンションなど室内で飼われる犬などのペットが増えているが、日中は飼い主の出勤などでペットだけを留守宅に置いて行かざるをえない状況がある。
このような場合、ペット自身の不安感の増大、また、それに伴って発せられる鳴声などが、近隣住居への騒音問題の原因となっている。
本発明は、飼い主が留守のときに、ペット（主として犬）の付き添い相手となり、ペットの気分安定、および、鳴声を止めることで近隣住居への騒音低減に益するものである。
【背景技術】
【０００２】犬の無駄吠えをセンシングして、首輪を通して微弱電流を流したり、高音、バイブレータなどにより犬をびっくりさせ、吠えることをやめさせるシステムがある。ほかには、防音壁や防音マットを取り付け、鳴声が外部へ洩れないようにしたり、インターネットカメラなどで飼い主が遠隔監視して、遠隔で声をかける技術がある。
【発明が解決しようとする課題】
【０００３】従来の方法では、無理に吠えることを止めさせる方法であり、動物愛護の観点から良い方法ではなかった。また、防音壁や防音マットを取り付けた場合、騒音低減には効果があるが、費用もそれなりにかかるし、ペットの気分好転には効果がない。インターネットカメラなどで飼い主が遠隔監視して、遠隔で声をかける技術もあるが、飼い主は頻繁に監視せねばならないし、監視している時間だけしか効果がない。また、機器の設置自体も一般的には困難である。
【課題を解決するための手段】
【０００４】犬の鳴声をセンシングする鳴声入力部（マイク）と、鳴声を解析判断する部分と、実際に声かけを行う音声再生部（スピーカ）からなる電子機器である。
【発明を実施するための最良の形態】
【０００５】図１は、本発明のフローチャートである。
（イ）飼い主が留守になって不安感を覚えた犬は、鳴声を発する。
（ロ）この鳴声をマイクでセンシングし、ある音量以上であるかどうかを判断する。
（ハ）ある音量以上である場合は、スピーカを通じて、あらかじめ録音された飼い主の声などの音声データを出力する。
（ニ）犬は、飼い主の声を聞きおとなしくなる。
複数の音声データを記憶させておいて、再生する音声データを適宜変更したり、再生音量を変化させることで、犬の慣れを防ぐことができる。
鳴声を音量だけでなく分析することで、その頻度や鳴声の抑揚に応じて再生する音声データを変えることもできる。
【発明の効果】
以上述べたように、本発明は、犬への緩和効果をもたらし、鳴声を減らすことができるので、近隣住居への騒音を減少できる。その結果、飼い主も安心して外出することができる。
【図面の簡単な説明】
【図１】本発明のフローチャート
【図２】本発明の機能構成図
【図１】
2008061640.tif 000003
【図２】
2008061640.tif 000004
(57)【要約】【課題】  安価であって、且つ、簡単な構造、操作で的確に患部に刺激を与えることができ、しかも、病室または自宅であっても、場所、時間に関係なく治療が行える身体に装着の物理療法器具を提供することを目的とする。【解決手段】  モータにより上下動する振動体と、前記振動体の透孔を設け、空気の送入により膨張し、排出により収縮する空気袋と、前記空気袋の外側に配置された形成保持体とを内部に備えて構成した。【選択図】      図２
2008061667.tif 000002
【特許請求の範囲】
【請求項１】
モータにより上下動する振動体と、前記振動体の透孔を設け、空気の送入により膨張し、排出により収縮する空気袋と、前記空気袋の外側に配置された形成保持体とを内部に備えたことを特徴とする物理療法器具。
【発明の詳細な説明】
【技術分野】
【０００１】
本発明は、物理療法器具に関し、特に、腕、肩、足等の患部に刺激を与え、不自由な部位の回復を行うための物理療法器具に関する。
【背景技術】
【０００２】
近年、脳卒中、脳梗塞、脳出血等によって、脳に障害を受ける病気が増大傾向にある。また、事故などによっても同様な障害を生じ場合がる。これら病気、事故後の後遺症として生じる手、腕、肩、足等の身体機能を回復するために、長期にわたってリハビリ活動を行う。しかし、病院でのリハビリは種々の制約（特に治療時間、少数のリハビリスタッフ、医療報酬、介護保険等）が有り、必ずしも患者の意に沿うものではなく、また、リハビリの多くは、間接可動域運動、筋肉増強運動、基本的動作訓練と言った実際に体を動かして行う、機能低下の予防や改善のための運動療法が主体である。
【０００３】
そして、例えば、特開２００５−８０８７２に開示されるようにリハビリ装置そのものは、種々提案されている。
【特許文献１】特開２００５−８０８７２
【０００４】
また、他のリハビリ治療に、患部に刺激を与え、治癒促進のための、例えば、冷却、温熱、電気、光線、牽引、矯正、マッサージと言った様々な治療器械を用いた物理療法も併せて行われるが、これら治療にあっても、前記同様に種々の制約がある。
【０００５】
そして、例えば、特開平１０−１３７３１７に開示されている経穴（ツボ）療法を行う物理療法治療装置がある。
【特許文献１】特開平１０−１３７３１７
【発明の開示】
【発明が解決しようとする課題】
【０００６】
上記したような運動療法や物理療法を行うリハビリ装置は、大変高価なものであり、また、設置及び治療スペースも可也の広さを必要とするため、一個人で購入できるようなものではなかった。また、これら装置による治療に当っては、理学療法士、聖体士といった専門知識が必要とされていた。
【０００７】
本発明は、以上の点に鑑み、安価であって、且つ、簡単な構造、操作で的確に患部に刺激を与えることができ、しかも、病室または自宅であっても、場所、時間に関係なく治療が行える身体に装着の物理療法器具を提供することを目的とする。
【課題を解決するための手段】
【０００８】
上記した目的を達成するために、本発明の請求項１は、モータにより上下動する振動体と、前記振動体の透孔を設け、空気の送入により膨張し、排出により収縮する空気袋と、前記空気袋の外側に配置された形成保持体とを内部に備えたことを特徴とする物理療法器具。
【発明の効果】
【０００９】
本発明の物理療法器具によれば、病院内の装置とは異なり、安価で、しかも装置の構造が複雑化、大型化するものでなく、また、治療に当っては、場所、時間を気にせずに患者が身近に使用できる。また、患者自ら、患部を選んで刺激することができる。また、本発明は装着タイプであるため、握持の必要がないことからつ握持による疲れを感じることもなく、自由な姿勢で使用することができる。
【発明を実施するための最良の形態】
【００１０】
以下、本発明の実施例について図面を参照しながら説明する。図１から図４は、本発明にかかわる物理療法器具の一実施例を示している。
【００１１】
図１は、本発明の物理療法器具を上腕、前腕に装着した使用状態の斜視図である。物理療法器具１０は、布袋１内に、空気袋２と、弾性体３と、前記空気袋２を貫設して振動体４が配置されている。
【００１２】
前記空気袋２は、伸縮自在であって、チューブ（図示せず）が接続され、空気の送入により膨張、空気を排出することにより収縮する。この空気の送入により、より本発明の物理療法器具１０を身体にフィットするように成す。
【００１３】
前記弾性体３は、物理療法器具１０を略Ｃ字状に環状形成を成すように弾性力を備えて前記空気袋２の外側に配置さている。
【００１４】
前記振動体４は、円形または半球形状に形成されていて、患部に振動、すなわち、刺激を与えてマッサージ等を行うもので、振動モータ４１と、当該振動モータ４１の出力軸４２に編心して取付けた分銅４３とから構成されている。
【００１５】
尚、布袋１の外側には、本発明の物理療法器具１０を固定するための固定テープ５が取付けられている。
【００１６】
次に、上記実施例の形態の物理療法器具の使用について説明する。
【００１７】
すなわち、マッサージすべき腕、肩、足に物理療法器具１０を巻着し、固定テープ５で固定する。この状態で、空気袋２に徐々に空気を送入して膨らませ、装着部位が略伸ばされ、当該物理療法器具１０が装着にフィットしたところで空気の送入を止める。
【００１８】
続いて、振動体４を通電すると振動モータ４１が回転し、当該振動モータ４１の出力軸４２に、分銅４３が偏重心状態で取付けられているため、振動体４を運転させた時に振動を発生する。すなわち、マッサージが行われる。
【００１９】
尚、物理療法器具１０に設けられる振動体４の個数は限定するものではない。さらに、振動体４が複数個設けられている場合にあっては、当該振動体４を、個々に動作させるか、または一度に全てを動作させるかも任意である。
【００２０】
また、上記空気袋２への空気の送入を、加圧用ゴム球等の手動圧迫操作によって行うか、またはポンプ等からの空気供給（自動）によって行うかも限定するものではない。
【図面の簡単な説明】
【００２１】
【図１】本発明の物理療法器具の使用状態を表す斜視図である。
【図２】本発明の物理療法器具の断面図である。
【図３】本発明の物理療法器具の要部拡大図である。
【図４】本発明の物理療法器具の振動体の内部図である。
【符号の説明】
【００２２】
１  布袋
２  空気袋
３  弾性体
４  振動体
５  固定テープ
１０  物理療法器具
【図１】
2008061667.tif 000003
【図２】
2008061667.tif 000004
【図３】
2008061667.tif 000005
【図４】
2008061667.tif 000006
(57)【要約】【課題】トレーディングカード販売店では、カードの識別が難しいため、一定水準の知識と経験を備えた選任者を置き、仕入・在庫管理を行う必要があった。また、カードを目視し確認していたため、在庫集計に時間がかかり、取り扱うカードの種類を限定せざるをえなかった。【解決手段】カードのデータを機器で読み取り、その種類、在庫数をパソコンソフトやサーバで管理することにより、在庫管理にかかる業務工数を低減し、業務の効率化が図れる。【選択図】図１
2008090805.tif 000002
【特許請求の範囲】
【請求項１】
トレーディングカードの情報を読み取る機器（カードリーダー）を製作する。
【請求項２】
請求項１の機器により、カードから読み取った情報をパソコンソフトやサーバに送信し、仕入・販売・在庫を管理するシステムを構築する。
【発明の詳細な説明】
【技術分野】
【０００１】本発明は、トレーディングカードの仕入・販売・在庫管理の業務の効率化に関する。
【背景技術】
【０００２】トレーディングカードの仕入・在庫管理にあたり、従来は１つ１つ目視によってカードを識別、分類し、パソコンソフトに手入力で登録することにより管理していた。
【発明の開示】
【発明が解決しようとする課題】
【０００３】トレーディングカードの識別および仕入・販売・在庫管理を効率的に行うことを課題とする。
【課題を解決するための手段】
【０００４】トレーディングカードのデータ（種類、名称、番号等）を機器（カードリーダー）で読み取り、そのデータを仕入・販売・在庫を一元管理するパソコンソフトやサーバに送信し、保有しているカードの種類と枚数を常時把握できるシステムを構築する。【０００５】ＰＯＳレジによる販売機能と連動し、販売実績も在庫に反映できるようにする。また、サーバでの在庫管理により、複数の店舗における在庫の一元管理もできる。
【発明の効果】
【０００６】近年のトレーディングカードの発行種類は豊富で、また類似した絵柄のものが多く、目視によりカードの種類を見分け、仕入や在庫を管理することは、一定水準の知識を備えた経験者でないと容易ではない。【０００７】機器を用いて瞬時にカードの種類を識別できれば、仕入れの判断や在庫数の管理が容易となり、作業時間を短縮できる。カードの種類を識別する知識をそれほど持たない者でも仕入や在庫管理の作業が可能となり、また誤った仕入れ等の人的なミスも防げる。
【発明を実施するための最良の形態】
【０００８】トレーディングカードの販売店で、カードの仕入れと販売を行う場合において、在庫および販売の管理を効率的に行え、作業工数を減らすことができる。
現在は、カードの分類と在庫管理に膨大な時間を費やすため、取り扱うカードの種類と数量を制限している。【０００９】この在庫管理にかかる時間を減らすことができれば、充実したカードの種類と豊富な数を確保することができ、顧客の確保につながる。
【実施例】
【００１０】仕入れたトレーディングカード１０をカードリーダー１１で読み取り、その種類、枚数を識別し、パソコン１２を介して、サーバ１３内に在庫データとして蓄積する。サーバ１３へは他の店舗からもアクセスができ、パソコン２１やパソコン３１を通じて他の店舗で仕入れ、販売されたデータも蓄積される。これにより全店舗の在庫を一元管理する。
【図面の簡単な説明】
【００１１】
【図１】この発明の一実施形態を表すシステムの概要である。
【符号の説明】
【００１２】１０  トレーディングカード
１１  カードリーダー
１２  Ａ店舗のパソコン
１３  サーバ
２１  Ｂ店舗のパソコン
３１  Ｃ店舗のパソコン
【図１】
2008090805.tif 000003